(57)【要約】【課題】  レバー部材の回動を確実に規制でき、またレバー部材の回動の規制を容易に解除することができるとともに、部品点数を少なくして、容易に短時間で組み立てることができ、かつメンテナンスや廃棄のための分解も容易に行えるようにする。【解決手段】  レバー部材３０を、レバー把手３１の上端に、前後方向を向く回動軸３３を設けて構成する。座シェル２３に、前後方向の開口４０と、その開口内に設けられた、前記回動軸と嵌合する下向きに開口する軸嵌合受部４２を備えたレバー部材取付部３９を設ける。前記回動軸を軸嵌合受部に下方から嵌合させるとともに、前記回動軸の前後端部３３ａ，３３ｂを、前記開口の前後に位置する座シェルの上面における軸受部４１ａ，４１ｂに支持させ、かつレバー部材の前後移動を阻止するための間座部３７,３７を、前記回動軸に嵌合して、着脱可能に取り付ける。【選択図】    図１７
2008229384.tif 000002
【特許請求の範囲】
【請求項１】
椅子における脚柱の上端に取り付けられた支基の左右に、前後方向を向く座支持杆を設け、この座支持杆上に、座シェルの下部または下方の左右に設けた受部を前後方向に摺動可能に嵌合するとともに、左右の座支持杆の少なくとも一方に、前後方向の係合部を設け、座シェルに、前後方向の軸回りに回動可能で、前記係合部と係合する係止部を設けたレバー部材を取り付け、このレバー部材を、前記係止部と係合部とが係合する方向に弾性付勢するとともに、レバー部材を弾性付勢に抗して回動させることにより、前記係合状態を解除し得るようにした椅子における座の前後摺動装置において、
前記レバー部材を、レバー把手と、このレバー把手の上端に、直接または間接に設けた、前後方向を向く回動軸とより構成し、座シェルにおける左右の少なくとも一方に、前後方向の開口と、その開口内に設けられた、前記回動軸と嵌合する下向きに開口する軸嵌合受部とよりなるレバー部材取付部を設け、前記回動軸を軸嵌合受部に下方から嵌合させるとともに、前記回動軸の前後端部を前記開口の前後に位置する座シェル上面に支持させ、かつ前記レバー部材の前後移動を阻止するための間座部を、前記回動軸に嵌合して、着脱可能に取り付けたことを特徴とする椅子における座の前後摺動装置。
【請求項２】
間座部を、上部が開口する前後方向を向く短寸の筒体から構成し、前記上部開口を拡開させて、回動軸に下方から嵌合させうるようにした請求項１記載の椅子における座の前後摺動装置。
【請求項３】
軸嵌合受部を、座シェルに設けた前後方向の開口における前後方向の中央部に設け、この軸嵌合受部に、レバー部材の回動軸を下方から嵌合させるとともに、前記回動軸の前後端部を座シェル上面に支持させ、かつ軸嵌合受部の前後の各開口に、上部が開口する前後方向を向く短寸の筒体よりなる間座部を嵌合させ、さらに、これら両間座部の下部同士を連結片をもって連結した請求項１または２記載の椅子における座の前後摺動装置。
【請求項４】
間座部の筒体内底面に前後方向を向く切り込みを設けた請求項２または３記載の椅子における座の前後摺動装置。
【発明の詳細な説明】
【技術分野】
【０００１】
本発明は、椅子における座の前後摺動装置に関する。
【背景技術】
【０００２】
従来のこの種の前後摺動装置としては、椅子における支基の左右に、ガイドレールを前後方向に設けるとともに、ガイドレールに、座の左右に設けた可動レールを、それぞれ前後摺動可能に取り付け、かつ左右のガイドレールの少なくとも一方に長手方向に沿って被係合部を設け、座に、前後方向の軸回りに回動可能で、前記被係合部と係合する係合部を設けたレバー部材を取り付け、このレバー部材を、前記係合部と被係合部とが係合する方向に弾性付勢するとともに、レバー部材を弾性付勢に抗して回動させることにより、係合状態を解除し得るようにしたものを、本願出願人が提案している（特許文献１）。
【特許文献１】特開２００４−４９６５５号公報
【０００３】
しかし、前記の椅子における座の前後摺動装置では、ガイドレールに対する座の前後移動領域の規制を、ガイドレールの上面から上方に突設した軸を、可動レールに設けた前後方向の溝の前後端部と当接することで規制し、かつガイドレールに対する可動レールの上方への移動を前記軸の上面に有頭ねじを螺合することで防止しているため、部品点数が多く、組み立てやメンテナンスや廃棄のための分解が面倒で時間がかかるという問題があった。
【発明の開示】
【発明が解決しようとする課題】
【０００４】
本発明は、前記の問題点に鑑み、レバー部材の回動を確実に規制でき、またレバー部材の回動の規制を容易に解除することができるとともに、部品点数を少なくして、容易に短時間で組み立てることができ、かつメンテナンスや廃棄のための分解も容易に行うことができる椅子における座の前後摺動装置を提供することを目的とする。
【課題を解決するための手段】
【０００５】
上記課題は、特許請求の範囲における各請求項に示すように、下記の構成を備える発明によって解決される。
(１)   椅子における脚柱の上端に取り付けられた支基の左右に、前後方向を向く座支持杆を設け、この座支持杆上に、座シェルの下部または下方の左右に設けた受部を前後方向に摺動可能に嵌合するとともに、左右の座支持杆の少なくとも一方に、前後方向の係合部を設け、座シェルに、前後方向の軸回りに回動可能で、前記係合部と係合する係止部を設けたレバー部材を取り付け、このレバー部材を、前記係止部と係合部とが係合する方向に弾性付勢するとともに、レバー部材を弾性付勢に抗して回動させることにより、前記係合状態を解除し得るようにした椅子における座の前後摺動装置において、前記レバー部材を、レバー把手と、このレバー把手の上端に、直接または間接に設けた、前後方向を向く回動軸とより構成し、座シェルにおける左右の少なくとも一方に、前後方向の開口と、その開口内に設けられた、前記回動軸と嵌合する下向きに開口する軸嵌合受部とよりなるレバー部材取付部を設け、前記回動軸を軸嵌合受部に下方から嵌合させるとともに、前記回動軸の前後端部を前記開口の前後に位置する座シェル上面に支持させ、かつ前記レバー部材の前後移動を阻止するための間座部を、前記回動軸に嵌合して、着脱可能に取り付ける。
【０００６】
(２)  上記(１)項において、間座部を、上部が開口する前後方向を向く短寸の筒体から構成し、前記上部開口を拡開させて、回動軸に下方から嵌合させうるようにする。
【０００７】
(３)  上記（１）項または(２)項において、軸嵌合受部を、座シェルに設けた前後方向の開口における前後方向の中央部に設け、この軸嵌合受部に、レバー部材の回動軸を下方から嵌合させるとともに、前記回動軸の前後端部を座シェル上面に支持させ、かつ軸嵌合受部の前後の各開口に、上部が開口する前後方向を向く短寸の筒体よりなる間座部を嵌合させ、さらに、これら両間座部の下部同士を連結片をもって連結する。
【０００８】
(４)  上記（２）項または(３)項において、間座部の筒体内底面に前後方向を向く切り込みを設ける。
【発明の効果】
【０００９】
本発明によると、次のような効果が奏せられる。
請求項１記載の発明によれば、座を脚柱の上端に取り付けられた支基の左右の座支持杆上に前後摺動可能に組み付ける場合、レバー部材の前後移動を阻止するための間座部を、座シェルに取り付けるだけで、容易に短時間で組み立てることができるとともに、部品点数を少なくすることができる。
また、間座部を、レバー部材取付部の開口に位置する回動軸に嵌合して着脱可能に取り付けてあるため、レバー部材の前後移動を阻止することができる。
また、メンテナンスや廃棄のために、座を座支持杆から分離して椅子を分解する場合にも、間座部を座シェルから取り外して、座を移動させるだけで、座を座支持杆から容易に分離することができる。
【００１０】
請求項２記載の発明によれば、間座部を、上部が開口する前後方向を向く短寸の筒体から構成し、前記上部開口を拡開させて、回動軸に下方から嵌合させうるようにしてあるため、間座部を、ワンタッチで回動軸に取り付けることができる。
【００１１】
請求項３記載の発明によれば、両間座部の下部同士を連結片をもって連結してあるため、連結片を握持して、座シェルの下方から、前後の間座部を、それぞれレバー部材取付部における受部の前後の各開口の下方に位置させて、間座部の上部開口を回動軸に押し当てることにより、間座部をワンタッチで回動軸に取り付けることができるとともに、同じく連結片を握持して下方に引張るだけで、前後の間座部を簡単に取り外すことができる。
【００１２】
請求項４記載の発明によれば、間座部を回動軸に取り付ける際に、間座部の上部開口を回動軸に押し当てて、前記上部開口を拡開するときに、その拡開が、間座部の筒体内底面に設けた切り込みによって容易になるため、間座部をワンタッチで回動軸に容易に取り付けることができる。
【発明を実施するための最良の形態】
【００１３】
以下、本発明の一実施形態を、添付図面を参照して説明する。
図１〜図３は、それぞれ本発明の前後摺動装置を備える椅子の正面図、側面図、分解斜視図である。
【００１４】
図１〜図３に示すように、この椅子１００は、先端部にキャスタ１が設けられた放射状をなす５本の脚杆２を有する脚体３を備えている。
脚体３の中央には、ガススプリング４を備える伸縮式の脚柱５が立設されており、脚柱５の上端には、支基６の後部が固着されている。
【００１５】
支基６は、前半部の上面が開口する平面視菱形のほぼ中空箱状をなし、上面の開口部は、着脱可能な上部カバー７により覆われている。
支基６の前部両側面には、左右両側方に延出する腕部６ａが一体的に形成されている。
【００１６】
支基６の前後方向のほぼ中央には、左右方向を向く六角軸よりなる枢軸８が貫通しており、支基６より両側方に突出する枢軸８の両端部には、背凭れ９を支持する左右１対の背凭れ支持杆１０，１０における前方を向く下部の前端部に形成された左右方向を向く筒部１０ａ，１０ａが固嵌され、枢軸８と背凭れ支持杆１０，１０と背凭れ９とは、枢軸８の軸線を中心として、互いに一体となって支基６に対して回動しうるようになっている。
【００１７】
支基６の内部には、枢軸８を、図２における反時計回り方向に付勢するゴムトーションユニット１１(図３参照)とその付勢力調節手段(図示略)とが、また支基６の前部下面の中央には、ゴムトーションユニット１１と連係されて、ゴムトーションユニット１１の付勢力を補助するガススプリングユニット１２がそれぞれ設けられ、これらによって、背凭れ９を起立する方向に向けて付勢する付勢手段が形成されている。
【００１８】
ゴムトーションユニット１１の下面は、支基６の下面に着脱可能に設けられた左右１対の下部カバー１３，１３により覆われている。
【００１９】
図４，図５は、背凭れ９をそれぞれ起立位置、後傾位置としたときの要部の拡大側面図である。
【００２０】
図３〜図５に示すように、左右の背凭れ支持杆１０，１０における枢軸８より若干後方の部分には、短寸の起立腕１０ｂ，１０ｂが上向き突設されており、各起立腕１０ｂの上端部には、座１４の両側部を支持する前後方向を向く左右１対の座支持杆１５，１５の後端１５ａが、左右方向を向く軸１６をもって、それぞれ連結されている。
【００２１】
図６，図７は、それぞれ座支持杆１５の外側下視拡大斜視図、内側下視拡大斜視図である。
【００２２】
各座支持杆１５の前部は、上面が開口する箱状をなして下方に延出し、その下端面が後下方に向かって傾斜する傾斜面１７をなし、かつその傾斜面１７の後端に連続して、後上方を向く起立壁１８が形成されている。
各傾斜面１７は、支基６における腕部６ａの先端部上面に形成された後下方に向かって傾斜する傾斜受け面１９に前後方向に摺動自在に載置されている。
【００２３】
支基６における腕部６ａの先端部と、座支持杆１５の前部との間には、傾斜面１７が傾斜受け面１９から上方に離脱するのを阻止する外れ止め手段２０が設けられている。
外れ止め手段２０は、傾斜面１７に設けた前後方向を向く長孔２１と、傾斜受け面１９に突設され、かつ長孔２１に摺動自在に嵌合されるとともに、長孔２１の幅より大きい拡大頭部２２ａを有する有頭軸２２とを備えている。
【００２４】
背凭れ９が起立状態から後傾させられるのに連動して、各座支持杆１５およびそれによって支持された座１４は、図４に示す状態から、図５に示すように、傾斜面１７が傾斜受け面１９に沿って摺動しつつ、後下方に向かって移動させられるようになっている。
【００２５】
座１４は、図４に示されるように、座シェル２３の上面に、ネット部材などからなる表皮材２４を張設して構成されている。
【００２６】
図８は、組付け前における座１４の要部の下方拡大斜視図である。
【００２７】
座シェル２３は、一般に合成樹脂で成形され、その下面の左右には、前後方向を向く凹条受部２５が、成形時に一体的に形成されている。
凹条受部２５は、下向きに開口し、凹条受部２５における左右方向内側の内側面２６の下端縁には、前後に離間する複数の水平方向の被係止片２７が設けられている。
【００２８】
一方、座支持杆１５には、図７に示すように、上面２８における左右方向の内側縁の前後に水平方向の係止片２９が設けられている。
【００２９】
図９は、図４におけるIX〜IX線断面図、図１０は、図９におけるＸ〜Ｘ線断面図である。
【００３０】
座支持杆１５の係止片２９と、座シェル２３の被係止片２７との位置関係は、図９における２点鎖線で示すように、座支持杆１５の後端１５ａを、凹条受部２５の後端２５ａに位置させたときに、係止片２９と被係止片２７との前後方向の位置が重ならずに、座支持杆１５の上部を、凹条受部２５内に嵌合させることができるとともに、前記位置から座支持杆１５を、実線で示すように凹条受部２５に対して相対的に前方に移動させて、椅子１００の使用時における座シェル２３の通常の前後移動領域内において移動させた場合は、座シェル２３の被係止片２７が、座支持杆１５の係止片２９に係合して、座シェル２３が座支持杆１５から上方へ外れることがないようになっている（図１０参照）。
【００３１】
すなわち、座支持杆１５に対して凹条受部２５を、前記通常の前後移動領域を越えて前後の一方に移動させた場合にのみ、凹条受部２５を座シェル２３とともに、座支持杆１５から着脱できるようになっている。
また、凹条受部２５は、座支持杆１５よりも、前後方向に長く形成されており、椅子１００の使用時においては、座シェル２３を、凹条受部２５を介して、座支持杆１５に対して前後に摺動可能とすることにより、座１４を、所望の前後位置に調節し得るようになっている。
【００３２】
座シェル２３における凹条受部２５と、座支持杆１５との間の外れ止め手段を構成している被係止片２７と係止片２９は、被係止片２７が、係止片２９よりも、前後方向の長さが小さい小片で形成され、被係止片２７は、これらの小片を前後に離間して複数設けることにより構成されている。
【００３３】
また、座１４を所望とする前後位置に固定するために、レバー部材３０が設けられている。
【００３４】
図１１，図１２，図１３は、それぞれレバー部材３０の拡大した上方斜視図、下方斜視図、側面図である。
【００３５】
これら図１１〜図１３に示すように、レバー部材３０は、平面視において扁平な半円状をなし、手掛け部手前が下向きに湾曲するレバー把手３１と、このレバー把手３１の上端から上方に立上る立片３２と、この立片３２の上端に、立片３２の前後に突出する回動軸３３と、レバー把手３１の下方において回動軸３３に対して、レバー把手３１と反対方向に延びる係止部３４とより構成され、係止部３４は、平行な３枚の係止片３５により形成されている。
【００３６】
なお、本実施形態では、レバー把手３１の上端に、立片３２を介して間接に回動軸３３を設けているが、レバー把手３１の上端に直接、回動軸３３を設けてもよい。
【００３７】
図１４は、レバー部材３０を、座シェル２３に取り付ける際に用いる回動規制手段３６の拡大上方斜視図である。
【００３８】
回動規制手段３６は、上部が開口する前後方向を向く短寸の筒体からなる前後２つの間座部３７，３７と、この両間座部の下部同士を連結する連結片３８とより構成されている。
連結片３８は、両端を除いて、縦方向の薄板状をなしている。
【００３９】
図１５は、座シェル２３におけるレバー部材取付部３９の拡大上方斜視図（図３における円Ａ部分）である。
【００４０】
レバー部材取付部３９は、座シェル２３に設けられた前後方向の開口４０と、前記開口４０の前後における座シェル２３の上面部分よりなる前後受部１ａ，４１ｂと、前記開口４０内の前後方向中央部に設けられた下向きに開口する前後方向の半筒状体よりなる軸嵌合受部４２とより構成されている。
【００４１】
図１６，図１７は、座シェル２３にレバー部材３０を取り付ける手順を示す拡大上方斜視図である。
【００４２】
まず、レバー部材３０を、レバー把手３１を左右方向の外側にして、たとえば回動軸３３の前端部３３ａを、座シェル２３の下方から、レバー部材取付部３９における開口４０の前部より挿入して座シェル２３の上面における前軸受部４１ａに支持させ、次いで、回動軸３３を水平状態にしてレバー部材３０を少し後方に移動させて、回動軸３３の後端部３３ｂを、座シェル２３の上面における後軸受部４１ｂに支持させ、図１６に示す状態とする。
【００４３】
次いで、同じく座シェル２３の下方から、回動規制手段３６を、その連結片３８をレバー把手３１の左右方向の外側に位置させて、間座部３７，３７を、それぞれ開口４０の前部、後部に嵌入し、間座部３７の上部開口３７ａを拡開させて、レバー把手３１の回動軸３３に嵌合させることによって、座シェル２３に取り付け、図１７に示す状態とする。
【００４４】
なお、前後方向を向く短寸の筒体からなる間座部３７の筒体内底面には、前後方向の切り込み３７ｂが設けられており、間座部３７の上部開口３７ａを、下方から回動軸３３に挿し当てるだけで、容易に上部開口３７ａが拡開して、ワンタッチで、レバー把手３１の回動軸３３に嵌合しうるようになっている。
【００４５】
回動規制手段３６を取り付けることにより、レバー部材３０の前後方向への移動が阻止されるため、レバー部材３０の座シェル２３からの脱落が防止されるとともに、レバー把手３１が回動軸３３を枢軸として、回動可能に安定的に座シェル２３に取り付けられる。
【００４６】
図１８は、座支持杆１５とレバー部材３０とを組付けした座シェル２３の要部下方拡大斜視図、図１９は、図４におけるXIX〜XIX線断面図、図２０は、図１９におけるIIX〜IIX線断面図である。
【００４７】
図１８に示すように、座支持杆１５の左右方向の外側の側面４３における中央部には、レバー部材３０の係止片３５と係合する複数の係合溝４４が前後方向に列設されて形成された係合部４５が設けられている。
【００４８】
レバー把手３１は、図１９に示すように、一端がレバー把手３１の裏面、他端が座シェル２３に取り付けられたコイルスプリング４６によって、左右方向の内側向きに付勢されている。
【００４９】
図１８は、コイルスプリング４６の付勢力によって、レバー部材３０の係止片３５が、座支持杆１５の係合溝４４に係合して、座支持杆１５に対する座シェル２３の前後方向の相対的移動が規制されている状態を示す。
【００５０】
この状態から、座シェル２３を移動させて、座１４の前後方向の位置を調節するには、レバー把手３１の下面に手を掛けて、図１９に示すように、コイルスプリング４６の付勢力に抗して、レバー把手３１を、矢印Ｆで示す方向に回動させることにより、係止片３５と係合溝４４との係合を解除し、座シェル２３を、座支持杆１５に対して前後方向に移動自在とする。
【００５１】
次いで、所望とする前後位置に座１４を移動させた後に、レバー把手３１から手を離すことにより、コイルスプリング４６の付勢力によって、自動的に係止片３５と係合溝４４とが係合し、座１４の位置が固定される。
【００５２】
図４における２点鎖線は、椅子１００の通常の使用時における座１４の前後移動領域を示している。
【００５３】
図１９における実線で示すレバー把手３１の位置Ａは、レバー把手３１の係止片３５と、座支持杆１５の係合溝４４とが係合している状態を示し、２点鎖線で示すレバー把手３１の位置Ｂは、前記係合が解除されている状態を示している。
【００５４】
椅子１００の通常の使用時においては、レバー部材３０における立片３２に、回動規制手段３６における連結片３８が当接して、レバー把手３１の回動が  規制され、レバー把手３１は、前記位置Ｂを越えて回動することはできない。
【００５５】
一方、座支持杆１５における係合部４５の前部には、図６，図１８に示すように、左右方向の外側に向けてストッパー４７が設けられている。
【００５６】
レバー把手３１を前記位置Ｂの状態にして、座１４を前方に移動させると、レバー把手３１の係止片３５がストッパー４７に当接し、それ以上の座１４の前方への移動が規制される。
【００５７】
この状態においては、座支持杆１５の係止片２９と、座シェル２３における凹条受部２５の被係止片２７とは係合しており、座シェル２３が、座支持杆１５から外れることはない。
【００５８】
このように、前記ストッパー４７は、椅子の通常の使用時における座シェル２３の前後移動領域を規制している。
【００５９】
このストッパー４７による規制を解除するには、次のようにすればよい。
まず、座シェル２３から、回動規制手段３６を下向きに引張って取り外す（図１８参照）。
【００６０】
次いで、レバー把手３１を、図１９において反時計向きに回動させると、回動規制手段３６が取り外してあるため、レバー把手３１は、符号Ｃで示す仮想線の位置まで回動可能となる。
【００６１】
前記位置までレバー把手３１を回動させると、レバー把手３１における係止片３５がストッパー４７に当接しないようになり、ストッパー４７による座シェル２３の前後移動の規制が解除される。
そのため、座シェル２３を、図９において２点鎖線で示すように、座シェル２３における凹条受部２５の後端２５ａに、座支持杆１５の後端１５ａがほぼ当接する位置まで前方に移動させることが可能となる。
【００６２】
座シェル２３を前記位置に移動させると、凹条受部２５の被係止片２７と、座支持杆１５の係止片２９との係合が外れて、凹条受部２５と座支持杆１５との嵌合を解除しうるようになるため、座シェル２３を上方に持ち上げて、座支持杆１５から容易に取り外すことができる。
【図面の簡単な説明】
【００６３】
【図１】本発明の前後摺動装置を備える椅子の正面図である。
【図２】同じく、側面図である。
【図３】同じく、分解斜視図である。
【図４】背凭れを起立位置としたときの要部の拡大側面図である。
【図５】同じく、背凭れを後傾位置としたときの要部の拡大側面図である。
【図６】座支持杆の左右方向の外側下視拡大斜視図である。
【図７】同じく、座支持杆の左右方向の内側下視拡大斜視図である。
【図８】組付け前における座の要部の下方拡大斜視図である。
【図９】図４におけるIX〜IX線断面図である。
【図１０】図９におけるＸ〜Ｘ線断面図である。
【図１１】レバー部材の拡大上方斜視図である。
【図１２】同じく、レバー部材の拡大下方斜視図である。
【図１３】同じく、レバー部材の拡大側面図である。
【図１４】回動規制手段の拡大上方斜視図である。
【図１５】座シェルにおけるレバー部材取付部の拡大上方斜視図である。
【図１６】座シェルにレバー部材を取り付ける手順を示す拡大上方斜視図である。
【図１７】同じく、座シェルにレバー部材を取り付ける手順を示す拡大上方斜視図である。
【図１８】組付け後における座の要部の下方拡大斜視図である。
【図１９】図４におけるXIX〜XIX線断面図である。
【図２０】図１９におけるIIX〜IIX線断面図である。
【符号の説明】
【００６４】
１００  椅子
１    キャスタ
２    脚杆
３    脚体
４    ガススプリング
５    脚柱
６    支基
６ａ  腕部
７    上部カバー
８    枢軸
９    背凭れ
１０  背凭れ支持杆
１０ａ  筒部
１０ｂ  起立腕
１１  ゴムトーションユニット(付勢手段)
１２  ガススプリングユニット(付勢手段)
１３  下部カバー
１４  座
１５  座支持杆
１５ａ  後端
１６  軸
１７  傾斜面
１８  起立壁
１９  傾斜受け面
２０  外れ止め手段
２１  長孔
２２  有頭軸
２２ａ  拡大頭部
２３  座シェル
２４  表皮材
２５  凹条受部
２５ａ  後端
２６  内側面
２７  被係止片
２８  上面
２９  係止片
３０  レバー部材
３１  レバー把手
３２  立片
３３  回動軸
３３ａ  前端部
３３ｂ  後端部
３４  係止部
３５  係止片
３６  回動規制手段
３７  間座部
３７ａ  上部開口
３７ｂ  切り込み
３８  連結片
３９  レバー部材取付部
４０  開口
４１ａ  前軸受部
４１ｂ  後軸受部
４２  軸嵌合受部
４３  側面
４４  係合溝
４５  係合部
４６  コイルスプリング
４７  ストッパー
【図１】
2008229384.tif 000003
【図２】
2008229384.tif 000004
【図３】
2008229384.tif 000005
【図４】
2008229384.tif 000006
【図５】
2008229384.tif 000007
【図６】
2008229384.tif 000008
【図７】
2008229384.tif 000009
【図８】
2008229384.tif 000010
【図９】
2008229384.tif 000011
【図１０】
2008229384.tif 000012
【図１１】
2008229384.tif 000013
【図１２】
2008229384.tif 000014
【図１３】
2008229384.tif 000015
【図１４】
2008229384.tif 000016
【図１５】
2008229384.tif 000017
【図１６】
2008229384.tif 000018
【図１７】
2008229384.tif 000019
【図１８】
2008229384.tif 000020
【図１９】
2008229384.tif 000021
【図２０】
2008229384.tif 000022